(57)【要約】【課題】  囮魚を傷つけて衰弱させることなく、長時間保持できる囮魚を用いる魚釣り用仕掛けの提供。【解決手段】  鮎釣り用仕掛け１００の胴締めループ調整部１０３は、編みつけ部１０３ａ、第１端部１０３ｂ、第２端部１０３ｃ、及び、中間移動部１０３ｄを有している。第１端部１０３ｂ、第２端部１０３ｃは、中心に胴締め糸１０１が貫通する環形状を有している。第２端部１０３ｃには、胴締め糸１０１の一端が接続され、胴締めループＲ１０１が形成される。中間移動部１０３ｄは、中心に編みつけ部１０３ａが貫通する環形状を有している。中間移動部１０３ｄは、針部１０７が接続される。これにより、鮎Ｓが上方、下方へ移動したとしても、胴締めループＲ１０１の大きさが変わることがないため、胴締めループＲ１０１において保持されている囮鮎Ｄを締め付けることによって、弱らせたり、傷つけたりすることがなく、長い時間、囮鮎Ｄをいい状態で保持できる。【選択図】  図１
2019000092.tif 000002
【特許請求の範囲】
【請求項１】
道糸の先端に配置する囮魚を用いる魚釣り用仕掛けにおいて、
囮魚を保持する胴締めループを形成する胴締め糸であって、一端を前記道糸に接続する胴締め糸、
前記胴締めループの大きさを調整する胴締めループ調整部、
を有する魚釣り用仕掛けであって、
前記胴締めループ調整部は、
１本または複数本の編みつけ糸を用いて前記胴締め糸の周囲に編みつけて形成される編みつけ部、
前記胴締め糸が貫通する環状の第１端部であって、前記編みつけ部が接続される第１端部、
前記胴締め糸が貫通する環状の第２端部であって、前記編みつけ部と、前記道糸の前記胴締め糸に接続される一端とは異なる一端と、が接続される第２端部、
前記編みつけ部が貫通する環状の中間移動部であって、前記第１端部と前記第２端部との間に位置する中間移動部、
を有する囮魚を用いる魚釣り用仕掛け。
【請求項２】
請求項１に係る囮魚を用いる魚釣り用仕掛けにおいて、
前記編みつけ部は、
一端が前記第１端部に接続され、前記第１端部に接続される一端とは異なる他の一端が前記第２端部に接続されること、
を特徴とする囮魚を用いる魚釣り用仕掛け。
【請求項３】
請求項１に係る囮魚を用いる魚釣り用仕掛けにおいて、
前記編みつけ部は、
端部に位置する第１編みつけ部であって、一端が前記第１端部に接続される第１編みつけ部、
前記第１編みつけ部が位置する端部とは異なる端部に位置する第２編みつけ部であって、一端が前記第２端部に接続される第２編みつけ部、
前記第１編みつけ部と前記第２編みつけ部との間に位置する第３編みつけ部であって、一端が前記第１端部に接続され、他の一端が前記第２端部に接続される第３編みつけ部、
を有すること、
を特徴とする囮魚を用いる魚釣り用仕掛け。
【請求項４】
請求項３に係る囮魚を用いる魚釣り用仕掛けにおいて、
前記編みつけ部は、さらに、
前記第２編みつけ部の前記第２端部に接続される一端とは異なる一端から延伸する引き手部、
を有すること、
を有する囮魚を用いる魚釣り用仕掛け。
【請求項５】
請求項１〜請求項４のいずれかに係る囮魚を用いる魚釣り用仕掛けにおいて、さらに、
前記胴締めループに配置され、前記胴締め糸が貫通する筒形状を有する囮魚保護部、
を有する囮魚を用いる魚釣り用仕掛け。
【請求項６】
請求項１〜請求項５のいずれかに係る囮魚を用いる魚釣り用仕掛けにおいて、さらに、
前記中間移動部に接続される針部、
を有し、
前記針部は、
前記中間移動部に接続されるハリス、
前記ハリスの前記中間移動部に接続される一端とは異なる一端側に接続される逆さ針、及び、錨針、
を有する囮魚を用いる魚釣り用仕掛け。
【請求項７】
請求項６に係る囮魚を用いる魚釣り用仕掛けにおいて、さらに、
前記針部は、
前記中間移動部と前記ハリスとの間に接続されるハリス調整部であって、前記逆さ針から前記中間移動部までの長さを調整するハリス調整部、
を有する囮魚を用いる魚釣り用仕掛け。
【発明の詳細な説明】
【技術分野】
【０００１】
本発明は、囮魚を用いる魚釣り用仕掛けに関し、特に、囮魚の衰弱を防止するものに関する。
【背景技術】
【０００２】
従来の囮魚を用いる魚釣り用仕掛けについて、図７に示す鮎の友釣り用仕掛けＸを用いて説明する。鮎の友釣り用仕掛けＸは、上端部に鼻環２を結着すると共に、鼻環２から所定の長さだけガイド糸部１ａを設定して背釣３を結着し、一方、下端部に逆さ釣４を結着した仕掛け糸本体１と、この仕掛け糸本体１のガイド糸部１ａにスライド自在に設けられた小環状のビーズ１１と、このビーズ１１に下端部が結着された道糸側の水中先糸１２とからなる。
【０００３】
これにより、囮鮎が荒瀬で泳ぐ際に水中先糸１２からの引っ張り力が囮鮎の進む方向に対してブレーキにならないように小ビーズ１１を背釣３側に逃し、囮鮎が自由に動けるようにすることができる（以上、特許文献１参照）。
【先行技術文献】
【特許文献】
【０００４】
【特許文献１】特開２００４−２０１６０９号公報
【発明の概要】
【発明が解決しようとする課題】
【０００５】
前述の鮎の友釣り用仕掛けＸには、以下に示すような改善すべき点がある。鮎の友釣り用仕掛けＸでは、囮鮎を保持するために鼻環２を用いる。鼻環２は、囮鮎の鼻部を貫通するように取り付けられる。このため、囮鮎を、鼻環２を用いて、保持すると、囮鮎を傷つけることとなるため、囮鮎が短時間で衰弱し、鮎釣りに際して、多くの囮鮎を用意する必要がある、という改善すべき点がある。
【０００６】
そこで、本発明は、囮魚を傷つけて衰弱させることなく、長時間保持することができる囮魚を用いる魚釣り用仕掛けを提供することを目的とする。
【発明の効果】
【０００７】
本発明における課題を解決するための手段及び発明の効果を以下に示す。
【０００８】
本発明に係る囮魚を用いる魚釣り用仕掛けは、道糸の先端に配置する囮魚を用いる魚釣り用仕掛けにおいて、囮魚を保持する胴締めループを形成する胴締め糸であって、一端を前記道糸に接続する胴締め糸、前記胴締めループの大きさを調整する胴締めループ調整部、を有する魚釣り用仕掛けであって、前記胴締めループ調整部は、１本または複数本の編みつけ糸を用いて前記胴締め糸の周囲に編みつけて形成される編みつけ部、前記胴締め糸が貫通する環状の第１端部であって、前記編みつけ部が接続される第１端部、前記胴締め糸が貫通する環状の第２端部であって、前記編みつけ部と、前記道糸の前記胴締め糸に接続される一端とは異なる一端とが接続される第２端部、前記編みつけ部が貫通する環状の中間移動部であって、前記第１端部と前記第２端部との間に位置する中間移動部、を有する。
【０００９】
これにより、傷つけて衰弱させることなく、いい状態で、長時間、囮魚を保持することができる。
【００１０】
本発明に係る囮魚を用いる魚釣り用仕掛けでは、前記編みつけ部は、一端が前記第１端部に接続され、前記第１端部に接続される一端とは異なる他の一端が前記第２端部に接続されること、を特徴とする。
【００１１】
これにより、中間移動部の移動による第１端部、第２端部の移動を防止できるため、胴締めループの大きさを維持することができる。よって、傷つけて衰弱させることなく、いい状態で、長時間、囮魚を保持することができる。
【００１２】
本発明に係る囮魚を用いる魚釣り用仕掛けでは、前記編みつけ部は、端部に位置する第１編みつけ部であって、一端が前記第１端部に接続される第１編みつけ部、前記第１編みつけ部が位置する端部とは異なる端部に位置する第２編みつけ部であって、一端が前記第２端部に接続される第２編みつけ部、前記第１編みつけ部と前記第２編みつけ部との間に位置する第３編みつけ部であって、一端が前記第１端部に接続され、他の一端が前記第２端部に接続される第３編みつけ部、を有すること、を特徴とする。
【００１３】
これにより、よって、第１端部、第２端部の移動を防止できるため、胴締めループの大きさを維持することができる。よって、傷つけて衰弱させることなく、いい状態で、長時間、囮魚を保持することができる。
【００１４】
本発明に係る囮魚を用いる魚釣り用仕掛けでは、前記編みつけ部は、さらに、前記第２編みつけ部の前記第２端部に接続される一端とは異なる一端から延伸する引き手部、を有すること、を有する。
【００１５】
これにより、第２編みつけ部を胴締めループが小さくなる方向に容易に移動させることができる。よって、囮魚の大きさに合わせて胴締めループの大きさを調節できるため、胴締めループに囮魚をしっかり固定できる。
【００１６】
本発明に係る囮魚を用いる魚釣り用仕掛では、さらに、前記胴締めループに配置され、前記胴締め糸が貫通する筒形状を有する囮魚保護部、を有する。
【００１７】
これにより、傷つけて衰弱させることなく、いい状態で、長時間、囮魚を保持することができる。
【００１８】
本発明に係る囮魚を用いる魚釣り用仕掛けでは、さらに、前記中間移動部に接続される針部、を有し、前記針部は、前記中間移動部に接続されるハリス、前記ハリスの前記中間移動部に接続される一端とは異なる一端側に接続される逆さ針、及び、錨針、を有する。
【００１９】
これにより、傷つけて衰弱させることなく、いい状態で、長時間、囮魚を保持することができる囮魚を用いた魚釣り用仕掛けを一体として提供することができる。
【００２０】
本発明に係る囮魚を用いる魚釣り用仕掛けにおいて、さらに、前記針部は、前記中間移動部と前記ハリスとの間に接続されるハリス調整部であって、前記逆さ針から前記中間移動部までの長さを調整するハリス調整部、を有する。
【００２１】
これにより、囮魚の大きさにかかわらず、適切な位置に、逆さ針、錨針を囮魚に配置することができる。
【図面の簡単な説明】
【００２２】
【図１】本発明に係る囮魚を用いる魚釣り用仕掛けの一実施例である囮鮎を用いる鮎釣り用仕掛け１００の概要を示す図である。
【図２】鮎釣り用仕掛け１００の全体を示す図である。
【図３】鮎釣り用仕掛け１００の胴締めループ調整部１０３を示す図である。
【図４】鮎釣り用仕掛け１００の胴締めループ調整部１０３を示す図である。
【図５】鮎釣り用仕掛け１００の胴締めループ調整部１０３の動作を示す図である。
【図６】鮎釣り用仕掛け１００の胴締めループ調整部１０３の動作を示す図である。
【図７】従来の囮魚を用いる魚釣り用仕掛けを示す図である。
【図８】本発明に係る囮魚を用いる魚釣り用仕掛けの一実施例である囮鮎を用いる鮎釣り用仕掛け２００の概要を示す図である。
【図９】鮎釣り用仕掛け２００の全体を示す図である。
【図１０】鮎釣り用仕掛け２００の胴締めループ調整部２０３を示す図である。
【発明を実施するための形態】
【００２３】
以下、本発明の実施例について、図面を参照しながら詳細に説明していく。
【実施例１】
【００２４】
本発明に係る囮魚を用いる魚釣り用仕掛けの一実施例である囮鮎を用いる鮎釣り用仕掛け１００（以下、鮎釣り用仕掛け１００とする）の概要について、図１を用いて説明する。鮎釣り用仕掛け１００は、釣り竿（図示せず）から延びる道糸Ｒの先端に接続し、胴締めによって囮鮎Ｄを保持するものである。
【００２５】
第１  構成
鮎釣り用仕掛け１００の構成を説明する。鮎釣り用仕掛け１００は、胴締め糸１０１、胴締めループ調整部１０３、及び、囮魚保護部１０５、及び、針部１０７を有している。
【００２６】
胴締め糸１０１の一端は、道糸Ｒに接続される。鮎釣り用仕掛け１００の詳細を図２に、示す。胴締め糸１０１は、囮鮎Ｄを保持する胴締めループＲ１０１を形成する。胴締めループＲ１０１は、囮鮎Ｄを保持するために、胴締め糸１０１を用いて形成した輪である。胴締めループＲ１０１を囮鮎Ｄの胴部に沿って配置することによって、鮎釣り用仕掛け１００は、囮鮎Ｄを保持する。
【００２７】
胴締めループ調整部１０３は、胴締めループＲ１０１の大きさを調整するための装置である。胴締めループ調整部１０３の詳細を図３に示す。胴締めループ調整部１０３は、編みつけ部１０３ａ、第１端部１０３ｂ、第２端部１０３ｃ、及び、中間移動部１０３ｄを有している。編みつけ部１０３ａは、２本の編みつけ糸Ｌ１０３ａ１、Ｌ１０３ａ２を用いて胴締め糸１０１の周囲に編みつけて形成される。なお  、編みつけの際には、編みつけ糸Ｌ１０３ａ１、Ｌ１０３ａ２を、胴締め糸１０１を中心に、左右から包み込むように繰り返し交差させ、胴締め糸１０１の周囲に、編みつけ糸Ｌ１０３ａ１、Ｌ１０３ａ２を巻き付ける一般的な編みつけ方法を用いる。
【００２８】
第１端部１０３ｂは、中心に胴締め糸１０１が貫通する環形状を有している。第１端部１０３ｂとしては、例えば、リング状のビーズが用いられる。第１端部１０３ｂには、編みつけ糸Ｌ１０３ａ１が数回巻き付けられ、編みつけ糸Ｌ１０３ａ１と第１端部１０３ｂとが接続された後、編みつけ糸Ｌ１０３ａ１の一端が編みつけ糸Ｌ１０３ａ２に結束される。これにより、編みつけ部１０３ａの一端が、第１端部１０３ｂに接続される。その後、編みつけ糸Ｌ１０３ａ１と編みつけ糸Ｌ１０３ａ２とを胴締め糸１０１を中心に編みつけることによって、編みつけ部１０３ａが形成される。
【００２９】
第２端部１０３ｃは、中心に胴締め糸１０１が貫通する環形状を有している。第２端部１０３ｃとしては、例えば、リング状のビーズが用いられる。所定の長さの編みつけ部１０３ａが形成された後、第２端部１０３ｃには、編みつけ糸Ｌ１０３ａ１が数回巻き付けられ、編みつけ糸Ｌ１０３ａ１と第２端部１０３ｃとが接続された後、編みつけ糸Ｌ１０３ａ１の一端が編みつけ糸Ｌ１０３ａ２に結束される。これにより、編みつけ部１０３ａの第１端部１０３ｂに接続される一端とは異なる一端が、第２端部１０３ｃに接続される。
【００３０】
また、第２端部１０３ｃには、胴締め糸１０１の道糸Ｒに接続した一端とは異なる一端が接続される。これにより、胴締めループＲ１０１が形成される。
【００３１】
中間移動部１０３ｄは、中心に編みつけ部１０３ａが貫通する環形状を有している。中間移動部１０３ｄとしては、例えば、リング状のビーズが用いられる。中間移動部１０３ｄは、所定の長さの編みつけ部１０３ａを形成した後、第２端部１０３ｃを接続する前に、編みつけ部１０３が中心を貫通するように配置される。これにより、中間移動部１０３ｄは、第１端部１０３ｂと第２端部１０３ｃとの間を自由に移動できるように、第１端部１０３ｂと第２端部１０３ｃとの間に位置する。
【００３２】
このように、胴締めループ調整部１０３では、編みつけ部１０３ａの一端が第１端部１０３ｂに、他の一端が第２端部１０３ｃに、それぞれ接続され、また、第１端部１０３ｂと第２端部１０３ｃとの間に、編みつけ部１０３ａが貫通するように中間移動部１０３ｄが配置される。
【００３３】
中間移動部１０３ｄには、針部１０７のハリス調整部１０７ａが接続される。なお、ハリス調整部１０７ａには、ハリス１０７ｂが接続される（図２参照）。
【００３４】
図２に戻って、囮魚保護部１０５は、筒形状を有している。囮魚保護部１０５の筒形状内部を、胴締め糸１０１が貫通する。囮魚保護部１０５は、例えば、シリコン等の弾性を有し、囮魚を傷つけることがない素材で形成される。囮魚保護部１０５は、胴締めループＲ１０１に配置される。
【００３５】
針部１０７は、ハリス調整部１０７ａ、ハリス１０７ｂ、逆さ針１０７ｃ（図１参照）、及び、錨針１０７ｄ（図１参照）を有している。ハリス調整部１０７ａは、ハリス調整糸１０７ａ１、糸抜け止め１０７ａ２、及び、ハリス用編みつけ部１０７ａ３を有している。ハリス調整糸１０７ａ１は、一端が中間移動部１０３ｄに接続される。糸抜け止め１０７ａ２は、ハリス調整糸１０７ａ１の中間移動部１０３ｄに接続される一端とは異なる一端に接続される。ハリス用編みつけ部１０７ａ３は、中間移動部１０３ｄと糸抜け止め１０７ａ２との間において、ハリス調整糸１０７ａ１に所定の編みつけ糸を編みつけることによって形成される。
【００３６】
ハリス用編みつけ部１０７ａ３の一端には、ハリス１０７ｂが接続される。ハリス用編みつけ部１０７ａ３を伸張させたり、短縮させたりすることによって、ハリス調整糸１０７ａ１におけるハリス用編みつけ部１０７ａ３の位置を移動させることができる。ひいては、中間移動部１０３ｄから、ハリス１０７ｂに接続されている逆さ針１０７ｃまでの距離Ｌ（図１参照）を調整することができる。中間移動部１０３ｄから逆さ針１０７ｃまでの距離Ｌは使用する囮鮎Ｄの大きさによって変化するため、ハリス調整部１０７ａを用いて中間移動部１０３ｄから逆さ針１０７ｃまでの距離Ｌを調整することによって、錨針１０７ｄを囮鮎Ｄに対して適切な位置に配置することができる。
【００３７】
ハリス１０７ｂは、一端がハリス用編みつけ部１０７ａ３に接続される。図１に示すように、逆さ針１０７ｃは、ハリス１０７ｂの途中に配置される。なお、逆さ針１０７ｃは、囮鮎Ｄの尾付近に配置され、錨針１０７ｄを安定させる。錨針１０７ｄは、ハリス１０７ｂのハリス用編みつけ部１０７ａ３に接続される一端とは異なる一端に接続される。なお、錨針１０７ｄは、釣果となる鮎Ｓ（図５、図６参照）を釣るための針である。
【００３８】
第三  胴締めループ調整部１０３の動作
胴締めループ調整部１０３の動作について、図３及び図４を用いて説明する。図３に示すように、胴締めループ調整部１０３の第１端部１０３ｂ及び第２端部１０３ｃは、相対的に互いに離れるように移動すると、つまり、第１端部１０３ｂが道糸Ｒの方向（矢印ａ１方向）に移動するか、第２端部１０３ｃが胴締めループＲ１０１の方向（矢印ａ３方向）に移動するか、または、その両方によって、編みつけ部１０３ａが、胴締め糸１０１を締め付ける。このため、胴締めループ調整部１０３が胴締め糸１０１に対して固定され、胴締めループＲ１０１の大きさが固定される。
【００３９】
一方、図４に示すように、胴締めループ調整部１０３の第１端部１０３ｂ及び第２端部１０３ｃは、相対的に互いに近づくように移動すると、つまり、第１端部１０３ｂが胴締めループＲ１０１の方向（矢印ａ５方向）に移動するか、第２端部１０３ｃが道糸Ｒの方向（矢印ａ７方向）に移動するか、または、その両方によって、編みつけ部１０３ａが、胴締め糸１０１の締め付けを緩める。このため、胴締めループ調整部１０３が、胴締め糸１０１に対して自由となり、胴締めループＲ１０１の大きさを調整できる。
【００４０】
このように、胴締めループ調整部１０３を用いることによって、囮鮎Ｄを胴締めループＲ１０１に保持する際に、胴締めループＲ１０１の大きさを自由に調整することができる。つまり、囮鮎Ｄの大きさにかかわらず、適切に囮鮎Ｄを保持できるように、胴締めループＲ１０１の大きさを容易に調整できる。
【００４１】
一方、囮鮎Ｄを保持した鮎釣り用仕掛け１００を用いて鮎Ｓを釣る際に、例えば、図５に示すように、錨針１０７ｄにかかった鮎Ｓが、下方、つまり、第２端部１０３ｃの方向に移動した場合、鮎Ｓの移動にともない、針部１０７、ひいては中間移動部１０３ｄが下方へ移動する。鮎Ｓは、中間移動部１０３ｄが第２端部１０３ｃに到達するまでは自由に移動できる。さらに、鮎Ｓが、下方に移動しようとすると、中間移動部１０３ｄは第２端部１０３ｃを貫通できないため、第２端部１０３ｃを下方、つまり、胴締めループＲ１０１の方向（図２参照）へ移動させようとする。第２端部１０３ｃの下方への移動、つまり、第２端部１０３ｃの第１端部１０３ｂから遠ざかる方向への移動により、編みつけ部１０３ａは胴締め糸１０１を締め込むため、結果として、胴締めループ調整部１０３がその位置に固定される。つまり、錨針１０７ｄにかかった鮎Ｓは、中間移動部１０３ｄが第２端部１０３ｃに到達するまでは下方に移動できるが、それ以上は、下方に移動できない。このように、鮎Ｓが下方へ移動したとしても、胴締めループＲ１０１の大きさが変わることがないため、胴締めループＲ１０１において保持されている囮鮎Ｄを締め付けることによって、弱らせたり、傷つけたりすることがなく、長い時間、囮鮎Ｄをいい状態で保持することができる。
【００４２】
また、例えば、図６に示すように、錨針１０７ｄにかかった鮎Ｓが、上方に移動した場合、鮎Ｓの移動にともない、針部１０７、ひいては中間移動部１０３ｄが上方へ移動する。鮎Ｓは、中間移動部１０３ｄが第１端部１０３ｂに到達するまでは自由に移動できる。さらに、鮎Ｓが、上方に移動しようとすると、中間移動部１０３ｄは第１端部１０３ｂを貫通できないため、第１端部１０３ｂを、上方、つまり、道糸Ｒの方向（図１参照）へ移動させようとする。ここで、第１端部１０３ｂの上方への移動、つまり、第２端部１０３ｃから遠ざかる方向への移動により編みつけ部１０３ａが胴締め糸１０１を締め込むため、結果として、胴締めループ調整部１０３がその位置に固定される。つまり、錨針１０７ｄにかかった鮎Ｓは、中間移動部１０３ｄが第１端部１０３ｂに到達するまでは上方に移動できるが、それ以上は、上方に移動できない。このように、鮎Ｓが上方へ移動したとしても、胴締めループＲ１０１の大きさが変わることがないため、胴締めループＲ１０１の大きさが大きくなって、囮鮎Ｄを逃がしてしまうことがない。
【００４３】
なお、釣り中に、何らかの理由により、第１端部１０３ｂ、または、第２端部１０３ｃが、互いに近づく方向に移動し、編みつけ部１０３ａの締め付けが緩んだとしても、道糸Ｒを張るようにすれば、結果的に、胴締めループＲ１０１が小さくなるように、編みつけ部１０３ａを移動させることができる。
【実施例２】
【００４４】
本実施例における囮鮎を用いる鮎釣り用仕掛けにおいては、胴締めループＲ１０１による囮鮎の保持をより確実にするものである。以下においては、実施例１と同様の構成については、同様の符号を付し、その詳細な説明を省略する。
【００４５】
第１  構成
囮魚を用いる魚釣り用仕掛け２００（以下、鮎釣り用仕掛け２００とする）の概要について、図８を用いて説明する。鮎釣り用仕掛け２００は、釣り竿（図示せず）から延びる道糸Ｒの先端に接続し、胴締めによって囮鮎Ｄを保持するものである。
【００４６】
鮎釣り用仕掛け２００の詳細を図９に、示す。鮎釣り用仕掛け２００の構成を説明する。鮎釣り用仕掛け２００は、胴締め糸１０１、胴締めループ調整部２０３、及び、囮魚保護部１０５、及び、針部１０７を有している。
【００４７】
胴締めループ調整部２０３は、胴締めループＲ１０１の大きさを調整するための装置である。胴締めループ調整部２０３の詳細を図１０に示す。胴締めループ調整部２０３は、第１端部１０３ｂ、第２端部１０３ｃ、中間移動部１０３ｄ、第１編みつけ部２０３ａ、第２編みつけ部２０３ｂ、第３編みつけ部２０３ｃ、及び、引き手部２０３ｄを有している。第１編みつけ部２０３ａ、第２編みつけ部２０３ｂ、及び、第３編みつけ部２０３ｃは、２本の編みつけ糸Ｌ２０３ａ１、Ｌ２０３ａ２を用いて胴締め糸１０１の周囲に編みつけて形成される。なお  、編みつけの際には、編みつけ糸Ｌ２０３ａ１、Ｌ２０３ａ２を、胴締め糸１０１を中心に、左右から包み込むように繰り返し交差させ、胴締め糸１０１の周囲に、編みつけ糸Ｌ２０３ａ１、Ｌ２０３ａ２を巻き付ける一般的な編みつけ方法を用いる。
【００４８】
編みつけ糸Ｌ２０３ａ１、Ｌ２０３ａ２は、結束した後、結束した部分を始点として、胴締め糸１０１の所定位置から胴締めループＲ１０１を形成する方向に向かって所定長さ編みつけられる。これにより、第１編みつけ部２０３ａが形成される。第１編みつけ部２０３ａを形成した後、編みつけ糸Ｌ２０３ａ１、Ｌ２０３ａ２は、結束され、さらに、第１端部１０３ｂへ数回巻き付けられる。
【００４９】
第１端部１０３ｂへ数回巻き付けられた後、再度、編みつけ糸Ｌ２０３ａ１、Ｌ２０３ａ２は、胴締めループＲ１０１を形成する方向に向かって所定長さ編みつけられる。これにより、第３編みつけ部２０３ｃが形成される。第３編みつけ部２０３ｃを形成した後、編みつけ糸Ｌ２０３ａ１、Ｌ２０３ａ２は、第２端部１０３ｃへ数回巻き付けられる。
【００５０】
第２端部１０３ｃへ数回巻き付けられた後、再度、編みつけ糸Ｌ２０３ａ１、Ｌ２０３ａ２は、胴締めループＲ１０１を形成する方向に向かって所定長さ編みつけられる。これにより、第２編みつけ部２０３ｂが形成される。第２編みつけ部２０３ｂを形成した後、編みつけ糸Ｌ２０３ａ１、Ｌ２０３ａ２は胴締め糸１０１に結束される。その後、編みつけ糸Ｌ２０３ａ１、Ｌ２０３ａ２は、胴締め糸１０１に接続される。さらに、編みつけ糸Ｌ２０３ａ１、Ｌ２０１ａ２のそれぞれは、所定長さ延伸され、切断される。これにより、引き手部２０３ｄが形成される。
【００５１】
端部Ｌ２０３ａ１、Ｌ２０３ａ２は、囮鮎を胴締めループＲ１０１に取り付ける際に使用する。具体的には、取り付ける囮鮎の大きさに対して大きめの胴締めループＲ１０１となるように、胴締めループ調整部２０３を所定の位置に仮配置した後、引き手部２０３ｄを用いることによって、第２編みつけ部２０３ｂを、囮鮎側、つまり、胴締めループＲ１０１が小さくなる方向に容易に移動させることができる。これにより、囮鮎の大きさに合わせて胴締めループＲ１０１の大きさを調節できるため、胴締めループＲ１０１に囮鮎をしっかり固定できる。
【００５２】
このように、第２端部１０３ｃを、第３編みつけ部２０３ｃと第２編みつけ部２０３ｂとの間の所定の位置に固定できる。例えば、胴締めループＲ１０１に胴締めしている囮鮎が動くことによって、第２端部１０３ｃが胴締めループＲ１０１が大きくなる上方向ａ１に移動し、つまり、第１端部１０３ｂ、第２端部１０３ｃが互いに近づく方向、編みつけ部１０３ａの締め付けが弱くなる方向に移動しようとしても、第２端部１０３ｃの上方向の移動により、第２編みつけ部２０３ｂが胴締め糸１０１を締め付け、第２端部１０３ｃを移動させないようにする。このため、胴締めループＲ１０１の大きさを変化させることがなく、囮鮎を当初の状態に適切に保持することができる。
【００５３】
また、第１端部１０３ｂを、第３編みつけ部２０３ｃと第１編みつけ部２０３ａとの間の所定の位置に固定できる。例えば、胴締め糸１０１の振動等の理由により、第１端部１０３ａが下方向ａ３に移動し、つまり、第１端部１０３ｂ、第２端部１０３ｃが互いに近づく方向、編みつけ部１０３ａの締め付けが弱くなる方向に移動しようとしても、第１端部１０３ａの下方向の移動により、第１編みつけ部２０３ａが胴締め糸１０１を締め付け、第１端部１０３ａが移動しないようにする。このため、第１端部１０３ｂの位置が変化しないので、第３編みつけ部２０３ｃの編みつけが弱くなることを防止できる。ひいては、第３編みつけ部２０３ｃの編みつけが弱くなることによる、第２端部１０３ｃの移動を防止でき、結果として、胴締めループＲ１０１の大きさを変化させることがなく、囮鮎を当初の状態に適切に保持することができる。
【００５４】
なお、実施例１における鮎釣り用仕掛け１００と同様に、鮎釣り用仕掛け２００では、ハリス１０７ｄに引っかかった鮎Ｓの移動にともなう中間移動部１０３ｄの移動によっても、第１端部１０３ｂ、第２端部１０３ｃが移動しないため、胴締めループＲ１０１の大きさが変わることがなく、胴締めループＲ１０１の大きさが大きくなって、囮鮎Ｄを逃がしてしまうことがない。
【００５５】
［その他の実施形態］
（１）編みつけ部１０３ａ：前述の実施例１においては、編みつけ部１０３ａは、２本の編みつけ糸Ｌ１０３ａ１、Ｌ１０３ａ２を用いて形成するとしたが、１本の編みつけ糸を用いて形成するようにしてもよい。この場合、編みつけ糸を、中間付近で、第１端部１０３ｂ、または、第２端部１０３ｃに巻き付けて、２つの端部を編みつけることによって、編みつけ部１０３ａを形成するようにすればよい。
【００５６】
（２）第１端部１０３ｂ、第２端部１０３ｃ、中間移動部１０３ｄ：前述の実施例１においては、第１端部１０３ｂは、それぞれ環形状を有するとしたが、胴締め糸１０１が貫通するものであれば、例示のものに限定されない。例えば、所定大きさ、厚さの板に胴締め糸１０１が貫通する孔が形成されているものであってもよい。第２端部１０３ｃ、中間移動部１０３ｄについても同様である。
【００５７】
実施例２についても同様である。
【００５８】
（３）囮魚保護部１０５：前述の実施例１においては、囮魚保護部１０５を配置するとしたが、囮魚保護部１０５を配置しないようにしてもよい。
【００５９】
実施例２についても同様である。
【００６０】
（４）ハリス調整部１０７ａ：前述の実施例１においては、ハリス調整部１０７ａを配置するとしたが、ハリス調整部１０７ａを配置しないようにしてもよい。この場合、ハリス１０７ｂの一端を、中間移動部１０３ｄに接続するようにすればよい。
【００６１】
実施例２についても同様である。
【００６２】
（５）囮鮎Ｄ：前述の実施例１においては、囮魚として囮鮎Ｄを用いる囮魚を用いる魚釣り用仕掛けとしたが、他の囮魚を用いるものであってもよい。
【００６３】
実施例２についても同様である。
【００６４】
（６）第１編みつけ部２０３ａ、第３編みつけ部２０３ｃ、第２編みつけ部２０３ｂ：前述の実施例２においては、第１編みつけ部２０３ａ、第３編みつけ部２０３ｃ、第２編みつけ部２０３ｂは、２本の編みつけ糸Ｌ２０３ａ１、Ｌ２０３ａ２を用いて形成するとしたが、１本の編みつけ糸を用いて形成するようにしてもよい。この場合、編みつけ糸を、中間付近で折り曲げて、第１編みつけ部２０３ａを形成しようとする釣り竿側の端部の位置に折り曲げ部を配置し、折り曲げた編みつけ糸の端部同士を、編みつけ糸１０１に編みつけていくようにすればよい。
【００６５】
また、第１編みつけ部２０３ａを形成しないようにしてもよい。この場合、第３編みつけ部２０３ｃと第１端部１０３ｂとの接続は、実施例１における編みつけ部１０３ａと第１端部１０３ｂとの接続と同様にすればよい。
【００６６】
（７）引き手部２０３ｄ：前述の実施例２においては、引き手部２０３ｄを第２編みつけ部２０３ｂに対して胴締めループＲ１０１側に形成したが、第１編みつけ部２０３ａに対して道糸側にも形成するようにしてもよい。これにより、第１編みつけ部２０３ａを容易に道糸側に移動させることができる。
【産業上の利用可能性】
【００６７】
本発明に係る囮魚を用いる魚釣り用仕掛けは、例えば、囮鮎を用いる鮎釣り用仕掛けに用いることができる。
【符号の説明】
【００６８】
１００      囮鮎を用いる鮎釣り用仕掛け
１０１      胴締め糸
Ｒ１０１      胴締めループ
１０３      胴締めループ調整部
１０３ａ        編みつけ部
１０３ｂ        第１端部
１０３ｃ        第２端部
１０３ｄ        中間移動部
１０５      囮魚保護部
１０７      針部
１０７ａ      ハリス調整部
１０７ａ１    ハリス調整糸
１０７ａ２    糸抜け止め部
１０７ａ３    ハリス用編みつけ部
１０７ｂ      ハリス
１０７ｃ      逆さ針
１０７ｄ      錨針
Ｌ１０３ａ１      編みつけ糸
Ｌ１０３ａ２      編みつけ糸
Ｄ                    囮鮎
Ｒ                    道糸
２００      囮鮎を用いる鮎釣り用仕掛け
２０３      胴締めループ調整部
２０３ａ        第１編みつけ部
２０３ｂ        第２編みつけ部
２０３ｃ        第３編みつけ部
２０３ｄ        引き手部
Ｌ２０３ａ１      編みつけ糸
Ｌ２０３ａ２      編みつけ糸
【図１】
2019000092.tif 000003
【図２】
2019000092.tif 000004
【図３】
2019000092.tif 000005
【図４】
2019000092.tif 000006
【図５】
2019000092.tif 000007
【図６】
2019000092.tif 000008
【図７】
2019000092.tif 000009
【図８】
2019000092.tif 000010
【図９】
2019000092.tif 000011
【図１０】
2019000092.tif 000012